(57)【要約】      （修正有）【課題】複数個の目地カバーを用いた目地プレートで大きな荷重が加わる場所にでも使用でき、かつ目地部の幅寸法の２分の１以上の伸縮範囲に設定でき、かつ左右の躯体が異なる前後左右方向に動いても、その動きを吸収することができる床用目地装置の提供。【解決手段】躯体２間の目地部に位置させる複数個の枢支部４が同一面となる２個以上のＶ型三角格子状の伸縮支持リンク機構５と、このＶ型三角格子状の伸縮支持リンク機構５の両端の枢支部４に垂直方向に回動でき枢支され、かつ水平方向に回動できる取付具７と、Ｖ型三角格子状の伸縮支持リンク機構５の両端枢支部４にそれぞれ取付けたガイド筒８と、ガイド筒８に回動可能に挿入する軸９を有する複数個の支持バー１０と、後端部が取付けられ重なり合いスライド移動する目地部を覆う複数個の目地カバー１１で構成した目地プレート１２とする。【選択図】図２
2014218865.tif 000002
【特許請求の範囲】
【請求項１】
左右の躯体間の目地部に位置させることができる上部の複数個の枢支部が同一面となる少なくとも２個以上のＶ型三角格子状の伸縮支持リンク機構と、この少なくとも２個以上のＶ型三角格子状の伸縮支持リンク機構の両端上部の枢支部に垂直方向に回動できるように枢支され、かつ水平方向に回動できるように前記左右の躯体の目地部側に取付けられた左右の取付具と、前記少なくとも２個以上のＶ型三角格子状の伸縮支持リンク機構の両端上部の枢支部を除く部位の上部枢支部にそれぞれ取付けられたガイド筒と、同じ位置にある前記ガイド筒に回動可能に挿入される軸をそれぞれ有する複数個の支持バーと、この複数個の支持バーに後端部が取付けられ重なり合ってスライド移動する、前記目地部を覆う複数個の目地カバーで構成された目地プレート、あるいは前記複数個の支持バーに後端部が取付けられ重なり合ってスライド移動する複数個の目地カバーおよび後端部の目地カバーと重なりあってスライド移動する、前記躯体の床面に固定された端部目地カバーとからなる目地プレートとからなる床用目地装置。
【請求項２】
目地プレートは複数個の支持バーの中央部の支持バーを除く複数個の支持バーに後端部が固定され、先端部が前記左右の躯体の目地部側床面および隣りの部材とスライド移動可能に重なり合う複数個の目地カバーと、前記中央部の支持バーに中央部が取付けられ、両端部が両隣りの目地カバーとスライド移動可能に重なり合う中央目地カバーとで構成されていることを特徴とする請求項１記載の床用目地装置。
【発明の詳細な説明】
【技術分野】
【０００１】
本発明は目地部を介して設けられた左右の躯体の床面間を複数個の目地カバーを用いた目地プレートで接続する床用目地装置に関する。
【背景技術】
【０００２】
従来、この種の床用目地装置は複数個の目地カバーを用いた目地プレートをパンタグラフ状のリンク機構や先端部がスライド移動可能な支持体を用いて伸縮可能に支持している。
【０００３】
しかしながら、複数個の目地カバーを用いた目地プレートをパンタグラフ状のリンク機構で伸縮移動可能に支持する方法では、パンタグラフ状のリンク機構は撓みやすく、大きな荷重が加わる所には使用できないという欠点があった。
また、先端部がスライド移動可能な支持体で、複数個の目地カバーを用いた目地プレートを伸縮移動可能に支持する方法では、十分な強度は得られるが、目地部の幅寸法の２分の１以下の伸縮できる範囲を設定することができないという欠点があった。
【先行技術文献】
【特許文献】
【０００４】
【特許文献１】特許第４０６４３６０号公報
【発明の概要】
【発明が解決しようとする課題】
【０００５】
本発明は以上のような従来の欠点に鑑み、複数個の目地カバーを用いた目地プレートでも、大きな荷重が加わる場所にでも使用でき、かつ目地部の幅寸法の２分の１以上の伸縮できる範囲に設定でき、かつ左右の躯体が異なる前後左右方向に揺れ動いても、その揺れ動きを吸収することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は左右の躯体間の目地部に位置させることができる上部の複数個の枢支部が同一面となる少なくとも２個以上のＶ型三角格子状の伸縮支持リンク機構と、この少なくとも２個以上のＶ型三角格子状の伸縮支持リンク機構の両端上部の枢支部に垂直方向に回動できるように枢支され、かつ水平方向に回動できるように前記左右の躯体の目地部側に取付けられた左右の取付具と、前記少なくとも２個以上のＶ型三角格子状の伸縮支持リンク機構の両端上部の枢支部を除く部位の上部枢支部にそれぞれ取付けられたガイド筒と、同じ位置にある前記ガイド筒に回動可能に挿入される軸をそれぞれ有する複数個の支持バーと、この複数個の支持バーに後端部が取付けられ重なり合ってスライド移動する、前記目地部を覆う複数個の目地カバーで構成された目地プレート、あるいは前記複数個の支持バーに後端部が取付けられ重なり合ってスライド移動する複数個の目地カバーおよび後端部の目地カバーと重なりあってスライド移動する、前記躯体の床面に固定された端部目地カバーとからなる目地プレートとで床用目地装置を構成している。
【発明の効果】
【０００９】
以上の説明から明らかなように、本発明にあっては次に列挙する効果が得られる。
（１）請求項１により、複数個の目地カバーを支持する複数個の支持バーを少なくとも２個以上のＶ型三角格子状の伸縮支持リンク機構で支持しているので、従来のパンタグラフ状のリンク機構で複数個の目地カバーを伸縮可能に支持するものに比べ、大きな荷重が複数個の目地カバーに加わっても、十分な強度で支持することができる。
（２）前記（１）によって、Ｖ型三角格子状の伸縮支持リンク機構の両端部を上下方向および水平方向に回動するように左右の取付具で左右の躯体の目地部側に取付けているので、地震で左右の躯体が異なる前後左右方向に揺れ動いても、その揺れ動きを吸収することができるとともに、一方の躯体が下がるように揺れ動いても、左右の取付具の上下方向の回動によって、その揺れ動きを吸収することができる。
（３）前記（１）によって、２個以上のＶ型三角格子状の伸縮支持リンク機構の左右の躯体の目地部側への取付けと、該Ｖ型三角格子状の伸縮支持リンク機構に複数個の目地カバーの取付けで設置できるので、設置作業が楽で、容易に設置することができる。
（４）請求項２、３も前記（１）〜（３）と同様な効果が得られる。
【図面の簡単な説明】
【００１０】
【図１】本発明を実施するための第１の形態の平面図。
【図２】図１の２−２線に沿う断面図。
【図３】図１の３−３線に沿う断面図。
【図４】本発明を実施するための第１の形態のＶ型三角格子状の伸縮支持リンク機構の説明図。
【図５】本発明を実施するための第１の形態の取付具の説明図。
【図６】本発明を実施するための第１の形態の支持バーの説明図。
【図７】本発明を実施するための第１の形態の目地プレートの説明図。
【図８】本発明を実施するための第１の形態の地震で目地部が狭くなった動作説明図。
【図９】本発明を実施するための第１の形態の地震で目地部が広くなった動作説明図。
【図１０】本発明を実施するための第１の形態の地震で左右の躯体が異なる前後方向に揺れ動いた状態の説明図。
【図１１】本発明を実施するための第１の形態の左右の躯体が不等沈下した状態の説明図。
【図１２】本発明を実施するための第２の形態の平面図。
【図１３】図１２の１３−１３線に沿う断面図。
【図１４】本発明を実施するための第２の形態の目地プレートの説明図。
【図１５】本発明を実施するための第３の形態の平面図。
【図１６】図１５の１６−１６線に沿う断面図。
【図１７】本発明を実施するための第３の形態の目地プレートの説明図。
【発明を実施するための形態】
【００１１】
以下、図面に示す本発明を実施するための形態により、本発明を詳細に説明する。
【００１２】
図１ないし図１０に示す本発明を実施するための第１の形態において、１は左右の躯体２、２間の床目地部３を人や車両等が通れるように接続する本発明の床用目地装置で、この床用目地装置１は前記左右の躯体２、２間の床目地部３に位置させることができる上部の複数個の枢支部４が同一面となる少なくとも２個以上のＶ型三角格子状の伸縮支持リンク５、５と、この少なくとも２個以上のＶ型三角格子状の伸縮支持リンク機構５、５の両端上部の枢支部４、４、４、４に垂直方向に回動できるように枢支され、かつ水平方向に回動できるように前記左右の躯体２、２の目地部側に複数本のタッピングビス６、６等によって取付けられた左右の取付具７、７、７、７と、前記少なくとも２個以上のＶ型三角格子状の伸縮支持リンク５、５の両端上部の枢支部４、４、４、４を除く部位の上部枢支部４、４、４、４、４、４、４、４、４、４およびその下部位置の枢支部４、４、４、４、４、４、４、４、４、４にそれぞれ枢支状態で取付けられたガイド筒８、８、８、８、８、８、８、８、８、８と、同じ位置にある前記ガイド筒８、８、８、８、８、８、８、８、８、８に回動可能に挿入される軸９、９をそれぞれ有する複数個の支持バー１０、１０、１０、１０、１０、１０、１０と、この複数個の支持バー１０、１０、１０、１０、１０、１０、１０に後端部が取付られ重なり合ってスライド移動する前記床目地部３を覆う複数個の目地カバー１１、１１、１１、１１、１１、１１、１１で構成された目地プレート１２とで構成されている。
【００１３】
前記少なくとも２個以上のＶ型三角格子状の伸縮支持リンク機構５、５は、図４に示すように下端部が枢支ピン１３で枢支され、上端部近傍の枢支ピン挿入孔１４、１４が形成された両側バー部材１５、１５と、この両側バー部材１５、１５に下端部が枢支ピン１６、１６、１６、１６、１６、１６、１６、１６、１６、１６で枢支され、上端部の枢支部４、４、４、４、４、４、４、４、４、４が前記枢支ピン挿入孔１４、１６と同一面となるように位置し、交差部位が枢支ピン１７でそれぞれ枢支された格子バー１８、１８ａ、１８ｂ、１８ｃ、１８ｄ、１８、１８ａ、１８ｂ、１８ｃ、１８ｄとで構成されている。
【００１４】
前記左右の取付具７、７、７、７は図５に示すように、円筒部材１９に複数個のタッピングビス挿入孔２０、２０が形成された躯体２へ取付ける取付部材２１が形成された固定部材２２と、この固定部材２２の円筒部材１９に回転可能に挿入される円柱状の回転軸２３、この回転軸２３の上部に固定された前記Ｖ型三角格子状の伸縮支持リンク機構５の両側バー部材１５が入り込む、コ字状で、かつ両側壁に枢支ピン挿入孔２４、２４が形成された支持ホルダー２５とからなる回動部材２６とで構成されている。
【００１５】
前記支持バー１０は図６に示すように、四角パイプ材で形成された支持バー本体２７と、この支持バー本体２７の底面に上端部が固定された前記ガイド筒８、８に回動可能に挿入される軸９、９とで構成されている。
【００１６】
前記目地プレート１２は図７に示すように、前記複数個の支持バー１０、１０、１０、１０、１０、１０、１０の中央部の支持バー１０を除く複数個の支持バー１０、１０、１０、１０、１０、１０に後端部が複数本のビス２８等で固定され、先端部が前記左右の躯体２、２の床目地部３側床面２ａ、２ａとスライド移動可能に重なり合う複数個の目地カバー１１、１１、１１、１１、１１、１１と、前記中央部の支持バー１０に、中央部に複数本のビス２８等で固定される支柱２９が取付けられ、両端部が両隣りの目地カバー１１、１１とスライド移動可能に重なり合う中央目地カバー３０とで構成されている。
【００１７】
上記構成の床用目地装置１は、左右の取付具７、７、７、７の回動部材２６、２６、２６、２６をＶ型三角格子状の伸縮リンク機構５、５の両側バー部材１５、１５の上部枢支ピン挿入孔１４、１４に枢支ピン１６、１６を用いて垂直方向に回動可能に取付けるとともに、固定部材２２、２２、２２、２２を左右の躯体２、２の床目地部３側に複数本のタッピングビス３１等によって固定する。
【００１８】
しかる後、固定部材２２、２２、２２、２２の円筒部材１９、１９、１９、１９に回動部材２６、２６、２６、２６の回転軸２３、２３、２３、２３を挿入してＶ型三角格子状の伸縮リンク機構５、５を取付ける。
【００１９】
その後、Ｖ型三角格子状の伸縮支持リンク機構５、５の上端部の枢支部４、４、４、４、４、４、４、４、４、４に枢支状態で取付けられたガイド筒８、８、８、８、８、８、８、８、８、８、８、８、８、８に支持バー１０、１０、１０、１０、１０、１０、１０の軸９、９、９、９、９、９、９、９、９、９、９、９、９、９を挿入し、該支持バー１０、１０、１０、１０、１０、１０、１０の左右の躯体２、２側の部位より中央部の支持バー１０を除く部位まで目地カバー１１、１１の後端部を複数本のビス２８で固定する。
【００２０】
しかる後、中央目地カバー３０を中央支持バー１０に中央目地カバー３０の支柱２９を取付けて、床目地部３を複数個の目地カバー１１、１１、１１、１１、１１、１１および中央目地カバー３０で覆う。
このように組み立てられた床用目地装置１は、通常時には図１および図２に示すように左右の躯体２、２間の床目地部３は目地プレート１２で覆われ、安全に人や車両が通行することができる。
【００２１】
地震で、床目地部３が狭くなるように左右の躯体２、２が揺れ動くと、図８に示すようにＶ型三角格子状の伸縮支持リンク機構５、５の両側バー部材１５、１５が枢支ピン１３で枢支されている下端部が下方へ移動するため、上部の枢支部４、４、４、４、４、４、４の間隔が狭くなり、目地カバー１１、１１、１１、１１、１１、１１および中央目地カバー３０の重なりが多くなって、その揺れ動きを吸収する。
【００２２】
地震で床目地部３が広くなるように左右の躯体２、２が揺れ動くと、図９に示すようにＶ型三角格子状の伸縮支持リンク機構５、５の両側バー部材１５、１５が枢支ピン１３で枢支されている下端部が上方へ移動するため、上部の枢支部４、４、４、４、４、４、４の間隔が広くなり、目地カバー１１、１１、１１、１１、１１、１１および中央目地カバー３０の重なりが小さくなって、その揺れ動きを吸収する。
【００２３】
地震で左右の躯体２、２が異なる前後方向に揺れ動いた場合、図１０に示すように左右の取付具７、７、７、７の回動部材２６、２６、２６、２６が水平方向に回動してＶ型三角格子状の伸縮支持リンク機構５、５を回動させるとともに、ガイド筒８、８、８、８、８、８、８、８、８、８、８、８、８、８に支持されている支持バー１０、１０、１０、１０、１０、１０、１０の軸９、９、９、９、９、９、９、９、９、９、９、９、９、９が回動して、複数個の目地カバー１１、１１、１１、１１、１１、１１と中央目地カバー３０が前後方向にスライド移動して、その揺れ動きを吸収する。
【００２４】
地震で左右の躯体２、２が不等沈下した場合、図１１に示すようにＶ型三角格子状の伸縮支持リンク機構５、５の両端部を左右の躯体２、２の床目地部３側に取付けられている左右の取付具７、７、７、７との取付けで、数支ピン１３、１３、１３、１３によって垂直方向に回動できるように取付けられていて、その揺れ動きを吸収することができる。
なお、地震での揺れ動きが停止すると、元の状態へ自動的に戻る。    
【００２５】
[発明を実施するための異なる形態]
次に、図１２ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図１２図ないし図１４に示す本発明を実施するための第２の形態において、前記本発明を実施するための第１の形態と主に異なる点は、複数個の支持バー１０、１０、１０、１０、１０、１０、１０に後端部が複数本のビス２８等で固定状態で取付けられ重なり合ってスライド移動する複数個の目地カバー１１、１１、１１、１１、１１、１１、１１と、この複数個の目地カバー１１、１１、１１、１１、１１、１１、１１の後端部の目地カバー１１と重なり合ってスライド移動する、前記躯体２の床面２ａに複数本のタッピングビス３１等で固定された端部目地カバー３２とで構成した目地プレート１２Ａを用いた点で、このような目地プレート１２Ａを用いて構成した床用目地装置１Ａにしても、前記本発明を実施するための第１の形態と同様な作用効果が得られる。
【００２７】
図１５ないし図１７に示す本発明を実施するための第３の形態において、前記本発明を実施するための第１の形態と主に異なる点は、５個の上部枢支部４、４、４、４、４が形成されたＶ型三角格子状の伸縮支持リンク機構５Ａ、５Ａを用いた点で、このようなＶ型三角格子状の伸縮支持リンク機構５Ａ、５Ａを用いて構成した床用目地装置１Ｂにしても、前記本発明を実施するための第１の形態と同様な作用効果が得られる。
【００２８】
なお、目地プレートは前記実施例の構造に限らず複数個の目地カバーを用いるものであれば、どんな構造のものであってもよい。
【産業上の利用可能性】
【００２９】
本発明は左右の躯体間の床目地部を覆う床用目地装置を製造する産業で利用される。
【符号の説明】
【００３０】
１、１Ａ、１Ｂ：床用目地装置、２：躯体、
３：床目地部、      ４：枢支部、
５、５Ａ：Ｖ型三角格子状の伸縮支持リンク機構
６：タッピングビス      ７：取付具、
８：ガイド筒、      ９：軸、
１０：支持バー、      １１：目地カバー、
１２、１２Ａ：目地プレート、  １３：枢支ピン、
１４：枢支ピン挿入孔、    １５：バー部材、
１６：枢支ピン、      １７：枢支ピン、
１８、１８ａ〜１８ｄ：格子バー、
１９：円筒部材、      ２０：タッピングビス挿入孔、
２１：取付部材、      ２２：固定部材、
２３：回転軸、      ２４：枢支ピン挿入孔、
２５：支持ホルダー、    ２６：回動部材、
２７：支持バー本体、    ２８：ビス、
２９：支柱、        ３０：中央目地カバー、
３１：タッピングビス、    ３２：端部目地カバー。
【図１】
2014218865.tif 000003
【図２】
2014218865.tif 000004
【図３】
2014218865.tif 000005
【図４】
2014218865.tif 000006
【図５】
2014218865.tif 000007
【図６】
2014218865.tif 000008
【図７】
2014218865.tif 000009
【図８】
2014218865.tif 000010
【図９】
2014218865.tif 000011
【図１０】
2014218865.tif 000012
【図１１】
2014218865.tif 000013
【図１２】
2014218865.tif 000014
【図１３】
2014218865.tif 000015
【図１４】
2014218865.tif 000016
【図１５】
2014218865.tif 000017
【図１６】
2014218865.tif 000018
【図１７】
2014218865.tif 000019